(57)【特許請求の範囲】
【請求項１】
楔緊結式足場に所定の傾斜角度に架設される階段の片側沿いに設置される階段手摺りであって、
棒状手摺り本体と、棒状手摺り本体の下端部に設けられ、前記階段の下端部側に位置する支柱の楔孔付きフランジに固定される固定金具と、棒状手摺り本体の上端部に設けられ、前記階段の上端部側に位置する支柱の楔孔付きフランジの楔孔に上方より掛止される掛止フックとからなり、固定金具は、前記楔孔付きフランジを挟み込み可能なコ字枠と、コ字枠が楔孔付きフランジを挟み込んだ位置でその楔孔に挿通されて、コ字枠を楔孔付きフランジに固定するロックピンとからなり、
楔緊結式足場に前記階段が連続して架設される場合に、下段側階段手摺りの掛止フックと上端側階段手摺りの固定金具におけるロックピンとが前記楔孔付きフランジの同じ楔孔に並んで挿通されるように形成されている楔緊結式足場における階段手摺り。
【請求項２】
前記固定金具のコ字枠には、楔孔付きフランジを挟み込む開口溝の入口の上部側に上部側ピン挿通孔を設け、開口溝の入口の下部側に上部側ピン挿通孔と同軸状の下部側ピン挿通孔を設け、上部側及び下部側の両ピン挿通孔にわたって前記ロックピンを挿通すると共に、上下部何れかのピン挿通孔にはロックピンを両ピン挿通孔にわたって挿通したロック状態に付勢するバネを設け、ロックピンにはこれを一方向に引っ張ってロック状態を解除操作するための把手を設けてなる請求項１に記載の楔緊結式足場における階段手摺り。
【請求項３】
楔緊結式足場に所定の傾斜角度に架設される階段の片側沿いに設置される階段手摺りであって、
棒状手摺り本体と、棒状手摺り本体の下端部に設けられ、前記階段の下端部側に位置する支柱の楔孔付きポケットに固定される固定金具と、棒状手摺り本体の上端部に設けられ、前記階段の上端部側に位置する支柱の楔孔付きポケットの楔孔に上方より掛止される掛止フックとからなり、固定金具は、前記楔孔付きポケットを挟み込み可能なコ字枠と、コ字枠が楔孔付きポケットを挟み込んだ位置でその楔孔に挿通されて、コ字枠を楔孔付きポケットに固定するロックピンとからなり、
楔緊結式足場に前記階段が連続して架設される場合に、下段側階段手摺りの掛止フックと上端側階段手摺りの固定金具におけるロックピンとが前記楔孔付きポケットの同じ楔孔に並んで挿通されるように形成されている楔緊結式足場における階段手摺り。
【請求項４】
前記固定金具のコ字枠には、楔孔付きポケットを挟み込む開口溝の入口の上部側に上部側ピン挿通孔を設け、開口溝の入口の下部側に上部側ピン挿通孔と同軸状の下部側ピン挿通孔を設け、上部側及び下部側の両ピン挿通孔にわたって前記ロックピンを挿通すると共に、上下部何れかのピン挿通孔にはロックピンを両ピン挿通孔にわたって挿通したロック状態に付勢するバネを設け、ロックピンにはこれを一方向に引っ張ってロック状態を解除操作するための把手を設けてなる請求項３に記載の楔緊結式足場における階段手摺り。
【発明の詳細な説明】
【技術分野】
【０００１】
本発明は、支柱にその長手方向適当間隔に設けた楔孔付きフランジ又は楔孔付きポケットを利用して、支柱、水平材、斜材などどうしを楔を介して緊結することにより組み立てられる楔緊結式足場において、所定の傾斜角度に架設される階段の片側沿いに設置される階段手摺りに関するものである。
【背景技術】
【０００２】
従来の楔緊結式足場における階段手摺りとして、特許公報等の公知文献を具体的に挙げることはできないが、従来の階段手摺りは、手摺り本体の上端部に、落下錠タイプのロック部片を備えた掛止金具を設け、下端部に掛止金具を設けたもので、取付けにあたり、先ず、架設された階段の上端部とほぼ同レベルにある支柱の楔孔付きフランジ又は楔孔付きポケットの楔孔に、手摺り本体上端側の掛止金具を掛止してロック部片によりロックし、その後に手摺り本体下端側の掛止金具を、階段の下端部とほぼ同レベルにある支柱の楔孔付きフランジ又は楔孔付きポケットの楔孔に掛止するようにしている。
【発明の概要】
【発明が解決しようとする課題】
【０００３】
従来の階段手摺りでは、上記のように手摺り本体の上端側にあるロック手段付きの掛止金具を対応する支柱の楔孔付きフランジ又はポケットの楔孔に掛止してロックした後、手摺り本体の下端側にある掛止金具を対応する支柱の楔孔付きフランジ又はポケットの楔孔に掛止して取り付けるようにするため、階段手摺りの解体時には、作業者が階段を上って手摺り本体上端側の掛止金具を支柱の楔孔付きフランジ又はポケットから取外し、そこで手摺り本体を持ち上げて下端側の掛止金具を対応する支柱の楔孔付きフランジ又はポケットから取外し、こうして手摺りを撤去した後、その手摺りを持って階段を下りることになる（上端側掛止金具に設けてある落下錠タイプのロック部片は、手で直接解錠操作する必要があり、階段の下側からの遠隔操作では解錠できない）が、その階段を下りる時には既に階段手摺りが取り外されているため危険な状態となり、安全性の点で問題があった。
【０００４】
本発明は、上記の事情に鑑み、階段の下側から設置及び取外しが行えて、作業の安全を確保できるようにした楔緊結式足場における階段手摺りを提供することを目的とする。
【課題を解決するための手段】
【０００５】
上記課題を解決するための手段を、後述する実施形態の参照符号を付して説明すると、請求項１に係る発明は、楔緊結式足場に所定の傾斜角度に架設される階段８の片側沿いに設置される階段手摺りであって、
棒状手摺り本体１０と、棒状手摺り本体１０の下端部に設けられ、前記階段８の下端部側に位置する支柱１の楔孔２ａ付きフランジ２に固定される固定金具１１と、棒状手摺り本体１０の上端部に設けられ、前記階段８の上端部側に位置する支柱１の楔孔２ａ付きフランジ２の楔孔２ａに上方より掛止される掛止フック１２とからなり、固定金具１１は、前記楔孔２ａ付きフランジ２を挟み込み可能なコ字枠１３と、コ字枠１３が楔孔２ａ付きフランジ２を挟み込んだ位置でその楔孔２ａに挿通されて、コ字枠１３を楔孔２ａ付きフランジ２に固定するロックピン１４とからなり、
楔緊結式足場に前記階段８が連続して架設される場合に、下段側階段手摺り９の掛止フック１２と上端側階段手摺り９の固定金具１１におけるロックピン１４とが、前記楔孔２ａ付きフランジ２の同じ楔孔２ａに並んで挿通されるように形成されていることを特徴とする。
【０００６】
請求項２は、請求項１に記載の楔緊結式足場における階段手摺りにおいて、前記固定金具１１のコ字枠１３には、楔孔２ａ付きフランジ２を挟み込む開口溝１５の入口の上部側に上部側ピン挿通孔１６を設け、開口溝１５の入口の下部側に上部側ピン挿通孔１６と同軸状の下部側ピン挿通孔１７を設け、上部側及び下部側の両ピン挿通孔１６，１７にわたって前記ロックピン１４を挿通すると共に、上下部何れかのピン挿通孔１６にはロックピン１４を両ピン挿通孔１６，１７にわたって挿通したロック状態に付勢するバネ２０を設け、ロックピン１４にはこれを一方向に引っ張ってロック状態を解除操作するための把手２１を設けてなることを特徴とする。
【０００８】
請求項３は、棒状手摺り本体１０Ａと、棒状手摺り本体１０Ａの下端部に設けられ、前記階段８の下端部側に位置する支柱１の楔孔２Ａａ付きポケット２Ａに固定される固定金具１１Ａと、棒状手摺り本体１０Ａの上端部に設けられ、前記階段８の上端部側に位置する支柱１の楔孔２Ａａ付きポケット２Ａの楔孔２Ａａに上方より掛止される掛止フック１２Ａとからなり、固定金具１１Ａは、前記楔孔２Ａａ付きポケット２Ａを挟み込み可能なコ字枠１３Ａと、コ字枠１３Ａが楔孔２Ａａ付きポケット２Ａを挟み込んだ位置でその楔孔２Ａａに挿通されて、コ字枠１３Ａを楔孔２Ａａ付きポケット２Ａに固定するロックピン１４Ａとからなり、
楔緊結式足場に前記階段８が連続して架設される場合に、下段側階段手摺り９Ａの掛止フック１２Ａと上端側階段手摺り９Ａの固定金具１１Ａにおけるロックピン１４Ａとが、前記楔孔２Ａａ付きポケット２Ａの同じ楔孔２Ａａに並んで挿通されるように形成されていることを特徴とする。
【０００９】
請求項４は、請求項３に記載の楔緊結式足場における階段手摺りにおいて、前記固定金具１１Ａのコ字枠１３Ａには、楔孔２Ａａ付きポケット２Ａを挟み込む開口溝１５Ａの入口の上部側に上部側ピン挿通孔１６Ａを設け、開口溝１５Ａの入口の下部側に上部側ピン挿通孔１６Ａと同軸状の下部側ピン挿通孔１７Ａを設け、上部側及び下部側の両ピン挿通孔１６Ａ，１７Ａにわたって前記ロックピン１４Ａを挿通すると共に、上下部何れかのピン挿通孔１６Ａにはロックピン１４Ａを両ピン挿通孔１６Ａ，１７Ａにわたって挿通したロック状態に付勢するバネ２０Ａを設け、ロックピン１４Ａにはこれを一方向に引っ張ってロック状態を解除操作するための把手２１Ａを設けてなることを特徴とする。
【発明の効果】
【００１１】
上記解決手段による発明の効果を、後述する実施形態の参照符号を付して説明すると、請求項１に係る発明の階段手摺り９によれば、棒状手摺り本体１０の下端側にロック機能付きの固定金具１１を設け、上端部に掛止フック１２を設けたことによって、作業者は、階段手摺り９の設置及び解体を階段８の下側のみで行うことができ、従って従来の階段手摺りのように階段８に上って取付け・取外し作業を行う必要がなく、作業の安全を確保できる。
【００１２】
また、固定金具１１は、前記楔孔２ａ付きフランジ２を挟み込み可能なコ字枠１３と、コ字枠１３が楔孔２ａ付きフランジ２を挟み込んだ位置でその楔孔２ａに挿通されて、コ字枠１３を楔孔２ａ付きフランジ２にロックするロックピン１４とからなるもので、コ字枠１３がフランジ２を上下に挟み込んでいるため、上下方向に外れることがなく、またロックピン１４がフランジ２の楔孔２ａに挿入されるので、左右方向に外れることがなく、従って全方向に対し外れるおそれがなく、きわめて安全である。
更にまた、本発明によれば、足場に階段８が連続して架設される場合に、下段側階段手摺り９の掛止フック１２と、上端側階段手摺り９の固定金具１１におけるロックピン１４とを、同じ楔孔２ａ付きフランジ２の同じ楔孔２ａに並んで挿入させることができるように形成されているため、複数本連続する階段手摺り９を簡単容易に設置することができる。
【００１３】
請求項２に係る発明によれば、手摺り本体１０の下端部に設けた固定金具１１のロックピン１４は、コイルバネ２０によって常時ロック状態となるため、故意に一方向に引っ張らない限り外れることはなく、安全性を確保できる。また固定金具１１は、取付け時及び取外し時に工具を必要とせず、その取付け及び取外し作業が容易となる。更に、バネ２０は、ピン挿通孔１６又は１７に挿通されて収納されているため、破損し難い。
【００１５】
請求項３に係る発明によれば、請求項１と同じように、棒状手摺り本体１０Ａの下端側にロック機能付きの固定金具１１Ａを設け、上端部に掛止フック１２Ａを設けたことによって、作業者は、階段手摺り９Ａの設置及び解体を階段８の下側のみで行うことができ、従って従来の階段手摺りのように階段８に上って取付け・取外し作業を行う必要がなく、作業の安全を確保できる。
【００１６】
また、固定金具１１Ａは、前記楔孔２Ａａ付きポケット２Ａを挟み込み可能なコ字枠１３Ａと、コ字枠１３Ａが楔孔２Ａａ付きポケット２Ａを挟み込んだ位置でその楔孔２Ａａに挿通されて、コ字枠１３Ａを楔孔２Ａａ付きポケット２Ａにロックするロックピン１４Ａとからなるもので、コ字枠１３Ａがポケット２Ａを上下に挟み込んでいるため、上下方向に外れることがなく、またロックピン１４Ａがポケット２Ａの楔孔２Ａａに挿入されるので、左右方向に外れることがなく、従って全方向に対し外れるおそれがなく、きわめて安全である。
更にまた、本発明によれば、請求項１と同じように、足場に階段８が連続して架設される場合に、下段側階段手摺り９Ａの掛止フック１２Ａと、上端側階段手摺り９Ａの固定金具１１Ａにおけるロックピン１４Ａとを、同じ楔孔２Ａａ付きポケット２Ａの同じ楔孔２Ａａに並んで挿入させることができるように形成されているため、複数本連続する階段手摺り９Ａを簡単容易に設置することができる。
【００１７】
請求項４に係る発明によれば、請求項２と同じように、手摺り本体１０Ａの下端部に設けた固定金具１１Ａのロックピン１４Ａは、コイルバネ２０Ａによって常時ロック状態となるため、故意に一方向に引っ張らない限り外れることはなく、安全性を確保できる。また固定金具１１Ａは、取付け時及び取外し時に工具を必要とせず、その取付け及び取外し作業が容易となる。更に、バネ２０Ａは、ピン挿通孔１６Ａ又は１７Ａに挿通されて収納されているため、破損し難い。
【図面の簡単な説明】
【００１９】
【図１】楔緊結式足場に架設された階段手摺り及び階段手摺りの設置状態を示す斜視図で、足場の下層部を示す。
【図２】同上の楔緊結式足場の中層部ないし上層部での階段手摺り及び階段手摺りの設置状態を示す正面図である。
【図３】(a) は階段手摺りの設置状態を示す拡大正面図、(b) は平面図である。
【図４】階段手摺りの全体を水平姿勢にした状態で示す正面図である。
【図５】(a) は図４の矢印Ａで示す部分及び矢印Ｂで示す部分の拡大図で、ロックピンのロック状態を示し、(b) は図４の矢印Ｂで示す部分の拡大図で、ロックピンのロック解除状態を示す。
【図６】(a) は棒状手摺り本体の下端部に設けられた固定金具の拡大正面図、(b) は同固定金具の分解図である。
【図７】(a) は固定金具のコ字枠を示す正面図、(b) は平面図、(c) は底面図である。
【図８】(a) はロックピンとこれに嵌装されるコイルバネを示す正面図、(b) は(a) に示すロックピンを９０°回転した状態での側面図である。
【図９】本発明の他の実施形態を示すもので、図３と同様な状態を示し、(a) は階段手摺りの設置状態を示す拡大正面図、(b) は平面図である。
【図１０】同実施形態の図６と同様な状態を示し、(a) は棒状手摺り本体の下端部に設けられた固定金具の拡大正面図、(b) は同固定金具の分解図である。
【発明を実施するための形態】
【００２０】
以下に本発明の好適な実施形態を図面に基づいて説明すると、図１は楔緊結式足場に架設された階段手摺り及び本発明に係る階段手摺りを示す斜視図で、足場は下層部を示し、図２は同じく楔緊結式足場に架設された階段手摺り及び本発明に係る階段手摺りの正面図で、その足場の中層部ないし上層部を示す。ここに示す楔緊結式足場は、支柱１にその長手方向に適当間隔に設けられた楔孔２ａ（図３の(b) 参照）付きフランジ２を利用して、支柱１、横ステー３，水平材４、斜材５などを互いに楔（図示せず）を介して緊結することにより組み立てられるようになっている。又、ここに示す楔緊結式足場は、図１には図示しないが、図９に示すように、支柱１にその長手方向に適当間隔に設けられた楔孔２Ａａ付きポケット２Ａ（支柱１の周囲に放射状に設けられたコ字枠状のポケット本体２Ａｂとそれを上下に貫通した楔孔２Ａａとからなる。）を利用して、支柱１、横ステー３，水平材４、斜材５をこれらに直接に設けたフック状の楔を介して緊結することにより組み立てられるようになっている。
【００２１】
横ステー３は、図１に示すように、足場板幅方向（前後方向）に隣り合う前後の支柱１，１の対向するフランジ２，２間に楔緊結され、そして足場板長さ方向（左右方向）に対向する横ステー３，３間には、横ステー３の長さの半分程度の幅をもつ足場板６が片側半分にわたってフックＨにより架け渡され、その反対側の片側半分に階段用開口部７が形成され、しかしてこの階段用開口部７において、前記足場板６の掛けられた横ステー３と、地面との間に階段８が所定の傾斜角度、例えば４５°で架設されている。尚、階段８は、図１には、足場の下層部にある最下段の足場板６と地面との間に架設された状態を示し、図２には、足場の中層部ないし上層部において足場板６の掛けられた横ステー３と、その足場板６の下段側に掛けられた足場板６の横ステー３との間に例えば４５°で架設された状態を示す。この階段８は、両側枠８ａ，８ａと両側枠８ａ，８ａ間に上下複数段に横架された踏板８ｂとからなるもので、各側枠８ａの上下端部に足場の横ステー３に掛止するフックＦを突設している。
【００２２】
そして、階段８の片側沿いに設置される階段手摺り９は、図１〜図３に示すように、棒状手摺り本体１０と、この棒状手摺り本体１０の下端部に設けられていて、階段８の下端部側に位置する支柱１の所定のフランジ２に固定される固定金具１１と、棒状手摺り本体１０の上端部に設けられていて、前記階段８の上端部側に位置する支柱１の所定のフランジ２の楔孔２ａに上方より掛止される掛止フック１２とからなるもので、固定金具１１は、棒状手摺り本体１０の下端部に固着されて、フランジ２を挟み込み可能なコ字枠１３と、、このコ字枠１３がフランジ２を挟み込んだ位置でその楔孔２ａに挿通されて、コ字枠１３をフランジ２にロックするロックピン１４とによって構成される。この階段手摺り９は、図１及び図２に示すように、低位側手摺り９ａと高位側手摺り９ｂとの２段に配設されている。
【００２３】
上記階段手摺り９の構造について更に詳しく説明すると、先ず、固定金具１１のコ字枠１３は、図３、図５〜図７に示すように、板状片からなるもので、支柱１の楔孔２ａ付きフランジ２を挟み込む開口溝１５を有する。そして、このコ字枠１３には、図６及び図７から分かるように、開口溝１５の入口の上部側に上部側ピン挿通孔１６が設けられると共に、開口溝１５の入口の下部側には上部側ピン挿通孔１６と同軸状の下部側ピン挿通孔１７が設けられ、上部側ピン挿通孔１６及び下部側ピン挿通孔１７は、夫々コ字枠１３部分に固着された円筒部材（丸パイプ）１８，１９によって形成される。
【００２４】
上部側及び下部側の両ピン挿通孔１６，１７にわたってロックピン１４が挿通されると共に、上部側のピン挿通孔１６には、ロックピン１４が両ピン挿通孔１６，１７にわたって挿通されたロック状態に付勢するコイルバネ２０が設けられ、ロックピン１４の上端部には、ロックピン１４を上方向に引っ張ってロック状態を解除操作するためのリング状の把手２１が突設されている。
【００２５】
ロックピン１４は、太径のピン本体部１４ａと、このピン本体部１４ａの上部側に同軸一体に延びる細径の支軸部１４ｂとからなるもので、細径の支軸部１４ｂは、上部側ピン挿通孔１６に挿入されると共に、その上端部が、上部側ピン挿通孔１６の上端面側に取り付けられた端板２２の支軸部挿通孔２２ａに挿通されて上方へ突出し、その突出端部に貫設された貫通孔２３に、リング状の把手２１が挿通されて取り付けられる。またコイルバネ２０は、細径の支軸部１４ｂに嵌装されて、ピン本体部１４ａとの段部１４ｏと前記端板２２との間に介装されることにより、ロックピン１４を図５の(a) 及び図６の(a) に示すロック状態に付勢するようになっている。
【００２６】
上記構成の固定金具１１を組み立てるには、図６の(b) に示すような状態から、細径の支軸部１４ｂにコイルバネ２０を嵌装したロックピン１４を、コ字枠１３の下部側ピン挿通孔１７から上部側ピン挿通孔１６にわたって挿通すると共に、細径支軸部１４ｂの上端部を端板２２の支軸部挿通孔２２ａから上方へ突出させ、その突出端部に設けられた貫通孔２３にリング状の把手２１を挿通させた状態とすることにより、図５の(a) 及び図６の(a) に示すように太径のピン本体部１４ａが両ピン挿通孔１６，１７にわたって挿通するロック状態となるようにコイルバネ２０を圧縮状態に保持する。
【００２７】
しかして、図５の(a) 及び図６の(a) に示すロック状態から、コイルバネ２０の付勢力に抗してリング状の把手２１を引っ張ると、図５の(b) に示すように、太径のピン本体部１４ａが上部側ピン挿通孔１６内に引き上げられて、コ字枠１３の開口溝１５が開口し、ロックピン１４による開口溝１５のロックが解除されることになる。
【００２８】
前記階段８の上端部側に位置する支柱１の所定のフランジ２の楔孔２ａに上方より掛止される掛止フック１２は、図３の(a) ，(b) 及び図５の(a) に示すように、棒状手摺り本体１０の上端部に固着された板状の基枠片２４と、この基枠片２４と共に鉤形を形成するように基枠片２４の先端部に下向きに固着突設された丸軸状のフック本体２５とで構成される。
【００２９】
上記のように構成される階段手摺り９の設置にあたって、例えば階段８が図１に示すように足場の下層部側に架設されている場合は、作業者が階段８の下側、即ち地面上において、手摺り本体１０上端部の掛止フック１２を、階段８の上端部側に位置する支柱１の所定のフランジ２の楔孔２ａに挿入し、その後に手摺り本体１０下端部の固定金具１１のコ字枠１３を階段８の下端部側に位置する支柱１の所定のフランジ２に挟み込んだ状態で、そのフランジ２の楔孔２ａにロックピン１４を挿入すればよい。また階段８が図２に示すように足場の中層部ないし上層部に架設されている場合は、その階段８の下側に位置する下段側の足場板６上において、上記同様な操作を行えばよい。
【００３０】
階段手摺り９を解体する時には、上記設置時と同様に作業者が階段８の下側において、上記した設置時の操作と逆の操作を行えばよい。即ち、階段８の下側で、手摺り本体１０下端部の固定金具１１のロックピン１４を把手２１により引き上げてロック解除操作し、コ字枠１３をフランジ２から離脱した後、その位置で手摺り本体１０の上端部側を持ち上げて、掛止フック１２を階段８上端部側のフランジ２の楔孔２ａから抜き取ればよい。
【００３１】
上記のように本発明に係る階段手摺り９は、棒状手摺り本体１０の下端側にロック機能付きの固定金具１１を設け、上端部に掛止フック１２を設けたことによって、作業者は、階段手摺り９の設置及び解体を階段８の下側のみで行うことができ、従って従来の階段手摺りのように階段８に上って取付け・取外し作業を行う必要がなく、作業の安全を確保することができる。
【００３２】
また、手摺り本体１０の下端部に設けた固定金具１１のロックピン１４は、コイルバネ２０によって常時ロック状態となるために、故意に引き上げない限り外れることはなく、この点からも安全性が確保される。また固定金具１１は、取付け時及び取外し時に工具を必要としないから、その取付け及び取外し作業が容易となる。
【００３３】
また固定金具１１は、コ字枠１３の開口溝１５がフランジ２を上下に挟み込んでいるため、上下方向に外れることがなく、またロックピン１４がフランジ２の楔孔２ａに挿入されるので、左右方向に外れることがなく、従って全方向に対し外れるおそれがなく、きわめて安全である。更に、コイルバネ２０は、上部側ピン挿通孔１６及び下部側ピン挿通孔１７に挿通されて収納されているため、破損し難い。
【００３４】
尚、上述した実施形態では、固定金具１１のロックピン１４が上部側ピン挿通孔１６と下部側ピン挿通孔１７とにわたって挿通したロック状態から、ロックピン１４を上方に引っ張ることによってロック解除するような構成としているが、この実施形態とは上下を逆にして、ロックピン１４を下方に引っ張ることでロック解除する構成としてもよい。
【００３５】
また上述の実施形態では、上部側ピン挿通孔１６及び下部側ピン挿通孔１７を、コ字枠１３部分に固着した円筒部材１８，１９によって形成しているが、コ字枠１３の板厚を厚くして、そのコ字枠１３の端部に孔加工を施すことにより形成することもできる。
【００３６】
また、上述した実施形態の階段手摺り９では、図２に示されるように足場に階段８が連続して架設される場合に、下段側階段手摺り９の掛止フック１２と、上端側階段手摺り９の固定金具１１におけるロックピン１４とを、同じ楔孔２ａ付きフランジ２の同じ楔孔２ａに並んで挿入させることができるように形成されているため、図２及び図３から分かるように、複数本連続する階段手摺り９を簡単容易に設置することができる。
【００３７】
図９及び図１０は、本発明の他の実施形態を示すもので、前記実施形態が楔緊結式足場は、支柱１にその長手方向に適当間隔に設けられた楔孔２ａ付きフランジ２を利用して、支柱１、横ステー３，水平材４、斜材５などを互いに楔を介して緊結することにより組み立てられるようになっているものであるが、この実施形態にあっては、図９に示すように、支柱１にその長手方向に適当間隔に設けられた楔孔２Ａａ付きポケット２Ａ（支柱１の周囲に放射状に設けられたコ字枠状のポケット本体２Ａｂとそれを上下に貫通した楔孔２Ａａとからなる。）を利用して、階段手摺り９Ａを設けるようにしたものである。その他の構成は前記実施形態と同じであるが、念のため説明すると、階段の片側沿いに設置される階段手摺り９Ａは、棒状手摺り本体１０Ａと、この棒状手摺り本体１０Ａの下端部に設けられていて、階段８（図１又は図２）の下端部側に位置する支柱１の所定のポケット２Ａに固定される固定金具１１Ａと、棒状手摺り本体１０Ａの上端部に設けられていて、前記階段８の上端部側に位置する支柱１の所定のポケット２Ａの楔孔２Ａａに上方より掛止される掛止フック１２Ａとからなるもので、固定金具１１Ａは、棒状手摺り本体１０Ａの下端部に固着されて、ポケット２Ａを挟み込み可能なコ字枠１３Ａと、、このコ字枠１３Ａがポケット２Ａを挟み込んだ位置でその楔孔２Ａａに挿通されて、コ字枠１３Ａをポケット２Ａにロックするロックピン１４Ａとによって構成される。
【００３８】
上記階段手摺り９Ａの構造について更に詳しく説明すると、先ず、固定金具１１Ａのコ字枠１３Ａは、図１０に示すように、板状片からなるもので、支柱１の楔孔２Ａａａ付きポケット２Ａを挟み込む開口溝１５Ａを有する。そして、このコ字枠１３Ａには、図１０から分かるように、開口溝１５Ａの入口の上部側に上部側ピン挿通孔１６Ａが設けられると共に、開口溝１５Ａの入口の下部側には上部側ピン挿通孔１６Ａと同軸状の下部側ピン挿通孔１７Ａが設けられ、上部側ピン挿通孔１６Ａ及び下部側ピン挿通孔１７Ａは、夫々コ字枠１３Ａ部分に固着された円筒部材（丸パイプ）１８Ａ，１９Ａによって形成される。
【００３９】
上部側及び下部側の両ピン挿通孔１６Ａ，１７Ａにわたってロックピン１４Ａが挿通されると共に、上部側のピン挿通孔１６Ａには、ロックピン１４Ａが両ピン挿通孔１６Ａ，１７Ａにわたって挿通されたロック状態に付勢するコイルバネ２０Ａが設けられ、ロックピン１４Ａの上端部には、ロックピン１４ａを上方向に引っ張ってロック状態を解除操作するためのリング状の把手２１Ａが突設されている。
【００４０】
ロックピン１４Ａは、太径のピン本体部１４Ａａと、このピン本体部１４Ａａの上部側に同軸一体に延びる細径の支軸部１４Ａｂとからなるもので、細径の支軸部１４Ａｂは、上部側ピン挿通孔１６Ａに挿入されると共に、その上端部が、上部側ピン挿通孔１６Ａの上端面側に取り付けられた端板２２Ａの支軸部挿通孔２２Ａａに挿通されて上方へ突出し、その突出端部に貫設された貫通孔２３Ａに、リング状の把手２１Ａが挿通されて取り付けられる。またコイルバネ２０Ａは、細径の支軸部１４Ａｂに嵌装されて、ピン本体部１４Ａａとの段部１４Ａｏと前記端板２２Ａとの間に介装されることにより、ロックピン１４Ａを図９の(a) 及び図1１０の(a) に示すロック状態に付勢するようになっている。
【００４１】
上記のように本発明に係る他の実施形態の階段手摺り９Ａにあっても、前記実施形態と同じように、棒状手摺り本体１０Ａの下端側にロック機能付きの固定金具１１Ａを設け、上端部に掛止フック１２Ａを設けたことによって、作業者は、階段手摺り９Ａの設置及び解体を階段８（図１又は図２）の下側のみで行うことができ、従って従来の階段手摺りのように階段８に上って取付け・取外し作業を行う必要がなく、作業の安全を確保することができる。
【００４２】
また、手摺り本体１０Ａの下端部に設けた固定金具１１Ａのロックピン１４Ａも、前記実施形態と同じように、コイルバネ２０Ａによって常時ロック状態となるために、故意に引き上げない限り外れることはなく、この点からも安全性が確保される。また固定金具１１Ａは、取付け時及び取外し時に工具を必要としないから、その取付け及び取外し作業が容易となる。
【００４３】
また固定金具１１Ａも、前記実施形態と同じように、コ字枠１３Ａの開口溝１５Ａがポケット２Ａを上下に挟み込んでいるため、上下方向に外れることがなく、またロックピン１４Ａがポケット２Ａの楔孔２Ａａに挿入されるので、左右方向に外れることがなく、従って全方向に対し外れるおそれがなく、きわめて安全である。
【符号の説明】
【００４４】
１            楔緊締式足場の支柱
２            フランジ
２ａ          フランジの楔孔
２Ａ          ポケット
２Ａａ        ポケットの楔孔
６            足場板
８            階段
９            階段手摺り
９Ａ          階段手摺り
１０          棒状手摺り本体
１０Ａ        棒状手摺り本体
１１          固定金具
１１Ａ        固定金具
１２          掛止フック
１２Ａ        掛止フック
１３          コ字枠
１３Ａ        コ字枠
１４          ロックピン
１４Ａ        ロックピン
１５          コ字枠の開口溝
１５Ａ        コ字枠の開口溝
１６          上部側ピン挿通孔
１６Ａ        上部側ピン挿通孔
１７          下部側ピン挿通孔
１７Ａ        下部側ピン挿通孔
２０          コイルバネ
２０Ａ        コイルバネ
２１          リング状把手
２１Ａ        リング状把手
【図１】
0005689279.tif 000002
【図２】
0005689279.tif 000003
【図３】
0005689279.tif 000004
【図４】
0005689279.tif 000005
【図５】
0005689279.tif 000006
【図６】
0005689279.tif 000007
【図７】
0005689279.tif 000008
【図８】
0005689279.tif 000009
【図９】
0005689279.tif 000010
【図１０】
0005689279.tif 000011